(57)【要約】【課題】  構成を簡潔にし、外観の向上と使用上の安全性を向上するとともに、煩雑な溶接を廃して容易かつ合理的に製作できるとともに、天板とアングルを回動可能に支持する回動軸に、カムブロックと支持ブロックを容易かつ強固に固定し、天板の折り畳み動作を安定かつ確実に行なえるようにした折畳みテーブルを提供すること。【解決手段】  天板２の下面にアングル３を固定する。  前記アングル３内に回動軸６を配置し、該回動軸６にアングル３と天板２を回動可能に支持する。  前記アングル３内に、第１および第２カム溝３２，３３を形成したカムブロック２４を配置する。  前記カムブロック２４の外側にロックカム３４を旋回可能に配置する。  前記ロックカム３４を前記第１および第２カム溝３２，３３に係合可能にした折畳みテーブルであること。  前記回動軸６にカムブロック２４を固定したこと。【選択図】図７
2020174823.tif 000002
【特許請求の範囲】
【請求項１】
天板の下面にアングルを固定し、該アングル内に回動軸を配置し、該回動軸にアングルと天板を回動可能に支持するとともに、前記アングル内に第１および第２カム溝を形成したカムブロックを配置し、該カムブロックの外側にロックカムを旋回可能に配置し、該ロックカムを前記第１および第２カム溝に係合可能にした折畳みテーブルにおいて、前記回動軸にカムブロックを固定したことを特徴とする折畳みテーブル。
【請求項２】
前記回動軸の両端部に支軸を挿入し、該支軸に脚支柱に連結可能な脚継手を接続した請求項１記載の折畳みテーブル。
【請求項３】
前記カムブロックの一側に前記回動軸の外周面に係合可能な係合面を形成した請求項１記載の折畳みテーブル。
【請求項４】
前記回動軸を円管状に形成するとともに、前記係合面を凹状曲面に形成した請求項３記載の折畳みテーブル。
【請求項５】
前記回動軸に開口部を形成し、該開口部に挿入可能な角軸をカムブロックの一側に突設するとともに、前記支軸に角軸を係合可能な角孔を形成した請求項１記載の折畳みテーブル。
【請求項６】
前記角軸の周面をテーパ状に形成するとともに、前記角孔の内周面をテーパ状に形成した請求項１記載の折畳みテーブル。
【請求項７】
前記角軸を四角錐台状に形成し、前記角孔の内空を四角錐台状に形成した請求項１記載の折畳みテーブル。
【請求項８】
前記支軸の角孔の近接部を閉塞した請求項５記載の折畳みテーブル。
【請求項９】
前記カムブロックの上部に、アングルの下面と係合可能な平坦な支持面を形成し、天板の使用時、前記支持面を前記アングルの下面に係合可能にした請求項１記載の折畳みテーブル。
【請求項１０】
前記支持面に調節ネジをねじ込み可能なネジ孔を開口した請求項９記載の折畳みテーブル。
【請求項１１】
前記回動軸のカムブロックと対向位置に支持ブロックを固定した請求項１記載の折畳みテーブル。
【請求項１２】
前記支持ブロックの一側に前記回動軸の外周面に係合可能な係合面を形成した請求項１１記載の折畳みテーブル。
【請求項１３】
前記支持ブロックの係合面を凹状曲面に形成した請求項１２記載の折畳みテーブル。
【請求項１４】
前記回動軸の前記開口部と対向位置に開口部を形成し、該開口部に挿入可能な角軸を支持ブロックの一側に突設し、該角軸の端部を支軸の側部周面の凹孔に対向配置した請求項１１記載の折畳みテーブル。
【請求項１５】
前記角軸にボルトを挿入可能な通孔を形成するとともに、前記カムブロックの角軸にネジ孔を形成し、前記ボルトを通孔を介して前記ネジ孔にねじ込み、支軸および回動軸の両側にカムブロックと支持ブロックを固定した請求項１４記載の折畳みテーブル。
【請求項１６】
前記支持ブロックの下部に基台を形成するとともに、支持ブロックの直上のアングルの下面にストッパを固定し、該ストッパに前記基台の側部を係合可能に配置し、天板の折り畳み時、前記ストッパを前記基台に係合可能にした請求項１１記載の折畳みテーブル。
【請求項１７】
前記脚継手の一側に、脚支柱の周面に接合可能な接合面を形成した請求項２記載の折畳みテーブル。
【請求項１８】
前記支軸と脚継手を一体成形した請求項２記載の折畳みテーブル。
【請求項１９】
前記脚継手の接合面側に複数の係合ピンを突設するとともに、脚継手の内側周面に複数のボルト挿通孔を開口し、該ボルト挿通孔の奥部に段付き孔を形成し、該段付き孔を介し脚支柱のネジ孔にボルトをねじ込み可能にした請求項１７記載の折畳みテーブル。
【請求項２０】
前記脚継手を、脚支柱の外側または内側に取付け可能にした請求項２記載の折畳みテーブル。
【請求項２１】
脚支柱の下方に配置する前後脚の上端部を一軸に集結し、該軸部を脚支柱の下端部に装
着した請求項２記載の折畳みテーブル。
【発明の詳細な説明】
【技術分野】
【０００１】
本発明は、構成を簡潔にし、外観の向上と使用上の安全性を向上するとともに、煩雑な溶接を廃して容易かつ合理的に製作できるとともに、天板とアングルを回動可能に支持する回動軸に、カムブロックと支持ブロックを容易かつ強固に固定し、天板の折り畳み動作を安定かつ確実に行なえるようにした折畳みテーブルに関する。
【背景技術】
【０００２】
天板の下面の両側にアングル状の下枠を固定し、該下枠の内側にジョイントカバーを配置し、該ジョイントカバーに連結板を取付け、該連結板の内側面に角管状の支持枠の端部を溶接し、連結板の外側面に内側の支持脚をビス止めするとともに、該支持脚の外側に外側の支持脚を離間して配置し、この内外側の支持脚の上部を角管状の連結管で溶接する一方、ジョイントカバーの内側にハンドルの枢軸とロックリンクの枢軸を同動可能に連結し、前記ロックリンクの先端部を連結板の上部に設けた係合溝に係合可能に配置し、天板を水平に支持するようにしたものがある（例えば、特許文献１参照）。
【０００３】
しかし、前記折畳みテーブルは、連結板の内側面に角管状の支持枠の端部の溶接を要するとともに、内外側の支持脚の上部を角管状の連結管で溶接しているため、それらの溶接作業が煩雑で手間が掛かり、各部の組み立てや取付けが複雑になるとともに、連結板に形成した係合溝やジョイントカバーの係合部、ロックリンクの一部が下枠から表出して体裁が悪く、またそれらが使用者の手指に接触して、怪我をする惧れがある等の問題があった
【０００４】
このような問題を解決するものとして、天板の下面にアングル状の下枠を固定し、該下枠の内側にアルミダイカスト製のジョイント部材を配置し、該ジョイントを内側の脚支柱に挿入し、該脚支柱の内側に補強枠の端部に設けた掛止板を取付け、この掛止板の端縁を屈曲した掛止片を脚支柱に掛け止める一方、内外側の脚支柱の上部に接続金具を溶接して連結し、前記ジョイント部材の前後にブラケットと、ロックリンクと操作レバーとを配置し、またジョイント部材の前後に枢支溝と係合溝を形成して、天板の使用時にブラケットを枢支溝に係合し、ロックリンクを係合溝に係合可能に配置するようにしたものがある（例えば、特許文献２参照）。
【０００５】
しかし、前記折畳みテーブルは、補強枠の端部に掛止板と掛止片の煩雑な製作を要する上に、内外側の脚支柱の上部に接続金具を溶接して連結する作業を要して、それらの溶接作業が煩雑で手間が掛かり、各部の組み立てや取付けが複雑になるとともに、ブラケットの一部が下枠から表出して体裁が悪く、またそれに使用者の手指が接触して、怪我をする惧れがある等の問題があった。
【先行技術文献】
【特許文献】
【０００６】
【特許文献１】特開２０１７−８６２０６号公報
【特許文献２】特開２０１３−１４４０８６号公報
【発明の概要】
【発明が解決しようとする課題】
【０００７】
本発明はこのような問題を解決し、構成を簡潔にし、外観の向上と使用上の安全性を向上するとともに、煩雑な溶接を廃して容易かつ合理的に製作できるとともに、天板とアングルを回動可能に支持する回動軸に、カムブロックと支持ブロックを容易かつ強固に固定し、天板の折り畳み動作を安定かつ確実に行なえるようにした折畳みテーブルを提供することを目的とする。
【課題を解決するための手段】
【０００８】
請求項１の発明は、天板の下面にアングルを固定し、該アングル内に回動軸を配置し、該回動軸にアングルと天板を回動可能に支持するとともに、前記アングル内に第１および第２カム溝を形成したカムブロックを配置し、該カムブロックの外側にロックカムを旋回可能に配置し、該ロックカムを前記第１および第２カム溝に係合可能にした折畳みテーブルにおいて、前記回動軸にカムブロックを固定し、回動軸とカムブロックとロックカムをアングル内にコンパクトに配置して、それらの表出を回避し外観を向上するとともに、使用上の安全性を向上するようにしている。
請求項２の発明は、回動軸の両端部に支軸を挿入し、該支軸に脚支柱に連結可能な脚継手を接続し、回動軸の両端部を支軸によって安定して支持するとともに、脚継手によって回動軸と脚支柱との連係を合理的かつ容易に行なうようにしている。
【０００９】
請求項３の発明は、カムブロックの一側に前記回動軸の外周面に係合可能な係合面を形成し、回動軸にカムブロックを密接かつ強固に固定するようにしている。
請求項４の発明は、回動軸を円管状に形成するとともに、前記係合面を凹状曲面に形成し、回動軸を汎用の素材で安価かつ軽量に構成するとともに、凹状曲面を回動軸に広域に係合させて、カムブロックを安定かつ強固に固定するようにしている。
請求項５の発明は、回動軸に開口部を形成し、該開口部に挿入可能な角軸をカムブロックの一側に突設するとともに、前記支軸に角軸を係合可能な角孔を形成し、開口部を介し角軸を角孔に係合して、回動軸を介し支軸とカムブロックを強固かつ一体的に連結するようにしている。
【００１０】
請求項６の発明は、角軸の周面をテーパ状に形成するとともに、前記角孔の内周面をテーパ状に形成し、角軸を角孔に容易かつ密着して係合するとともに、それらの楔効果によって強固に接続し得るようにしている。
請求項７の発明は、角軸を四角錐台状に形成し、前記角孔の内空を四角錐台状に形成し、角軸と角孔を簡潔に構成し容易に製作し得るようにしている。
請求項８の発明は、支軸の角孔の近接部を閉塞し、角孔周辺の強度を強化して、支軸の挿入ないし圧入に伴う角孔周辺の応力に対応させ、確実かつ安定して組み立てられるようにしている。
【００１１】
請求項９の発明は、カムブロックの上部に、アングルの下面と係合可能な平坦な支持面を形成し、天板の使用時、前記支持面を前記アングルの下面に係合可能にし、天板の安定した使用状態を得られるようにしている。
請求項１０の発明は、支持面に調節ネジをねじ込み可能なネジ孔を開口し、カムブロックの使用に伴う経年的な劣化により、アングルの下面と支持面との隙間が拡大して天板の安定した使用状態が低下した際、前記支持面に調節ネジをねじ込んで頭部をアングルの下面に係合し、前記隙間を解消して天板の安定した使用状態を回復し得るようにしている。
【００１２】
請求項１１の発明は、回動軸のカムブロックと対向位置に支持ブロックを固定し、回動軸の周囲にカムブロックと支持ブロックをコンパクトに配置し、固定するようにしている
請求項１２の発明は、支持ブロックの一側に前記回動軸の外周面に係合可能な係合面を形成し、回動軸に支持ブロックを密接かつ強固に固定するようにしている。
請求項１３の発明は、支持ブロックの係合面を凹状曲面に形成し、該凹状曲面を回動軸に広域に係合させて、安定かつ強固に固定するようにしている。
請求項１４の発明は、回動軸の前記開口部と対向位置に開口部を形成し、該開口部に挿入可能な角軸を支持ブロックの一側に突設し、該角軸の端部を支軸の側部周面の凹孔に対向配置し、カムブロックの角軸と対向位置に支持ブロックの角軸を配置し、それらの同軸配置と容易かつ合理的な固定を実現するようにしている。
【００１３】
請求項１５の発明は、角軸にボルトを挿入可能な通孔を形成するとともに、前記カムブロックの角軸にネジ孔を形成し、前記ボルトを通孔を介して前記ネジ孔にねじ込み、支軸および回動軸の両側にカムブロックと支持ブロックを固定し、これらを合理的かつ容易に固定するようにしている。
請求項１６の発明は、支持ブロックの下部に基台を形成するとともに、支持ブロックの直上のアングルの下面にストッパを固定し、該ストッパに前記基台の側部を係合可能に配置し、天板の折り畳み時、前記ストッパを前記基台に係合可能にし、天板の折り畳み時における逆転を防止し、安全かつ安定した天板の折り畳み状態を得られるようにしている。
【００１４】
請求項１７の発明は、脚継手の一側に、脚支柱の周面に接合可能な接合面を形成し、脚継手を脚支柱の周面に密着して取付け、その取付け強度と外観を向上するようにしている
請求項１８の発明は、支軸と脚継手を一体成形し、これらを合理的かつ容易に製作し組み立ての手間を節減するようにしている。
請求項１９の発明は、脚継手の接合面側に複数の係合ピンを突設するとともに、脚継手の内側周面に複数のボルト挿通孔を開口し、該ボルト挿通孔の奥部に段付き孔を形成し、該段付き孔を介し脚支柱のネジ孔にボルトをねじ込み可能にし、脚継手と脚支柱の取付けに煩雑な溶接作業を廃して容易に行えるとともに、係合ピンとボルトの取付け位置を加減することで、左右の脚支柱の取付け位置を調整し得るようにしている。
【００１５】
請求項２０の発明は、脚継手を、脚支柱の外側または内側に取付け可能にし、脚継手を脚支柱の外側に取付ける場合は、その取付け作業を容易に行なえ、脚継手を脚支柱の内側に取付ける場合は、それらの取付け作業を簡便に行なえるとともに、脚継手の占有スペースを解消して簡潔かつコンパクトに構成するようにしている。
請求項２１の発明は、脚支柱の下方に配置する前後脚の上端部を一軸に集結し、該軸部を脚支柱の下端部に装着し、前後脚と脚支柱の連結を簡潔かつコンパクトに行なうようにしている。
【発明の効果】
【００１６】
請求項１の発明は、回動軸にカムブロックを固定したから、回動軸とカムブロックとロックカムをアングル内にコンパクトに配置し、それらの表出を回避して外観を向上するとともに、使用上の安全性を向上することができる。
請求項２の発明は、回動軸の両端部に支軸を挿入し、該支軸に脚支柱に連結可能な脚継手を接続したから、回動軸の両端部を支軸によって安定して支持するとともに、脚継手によって回動軸と脚支柱との連係を合理的かつ容易に行なうことができる。
請求項３の発明は、カムブロックの一側に前記回動軸の外周面に係合可能な係合面を形成したから、回動軸にカムブロックを密接かつ強固に固定することができる。
【００１７】
請求項４の発明は、回動軸を円管状に形成するとともに、前記係合面を凹状曲面に形成したから、回動軸を汎用の素材で安価かつ軽量に構成するとともに、凹状曲面を回動軸に広域に係合させて、カムブロックを安定かつ強固に固定することができる。
請求項５の発明は、回動軸に開口部を形成し、該開口部に挿入可能な角軸をカムブロックの一側に突設するとともに、前記支軸に角軸を係合可能な角孔を形成したから、開口部を介し角軸を角孔に係合して、回動軸を介し支軸とカムブロックを強固かつ一体的に連結することができる。
【００１８】
請求項６の発明は、角軸の周面をテーパ状に形成するとともに、前記角孔の内周面をテーパ状に形成したから、角軸を角孔に容易かつ密着して係合するとともに、それらの楔効果によって強固に接続することができる。
請求項７の発明は、角軸を四角錐台状に形成し、前記角孔の内空を四角錐台状に形成したから、角軸と角孔を簡潔に構成し容易に製作することができる。
請求項８の発明は、支軸の角孔の近接部を閉塞したから、角孔周辺の強度を強化して支軸の挿入ないし圧入に伴う角孔周辺の応力に対応させ、確実かつ安定して組み立てることができる。
【００１９】
請求項９の発明は、カムブロックの上部に、アングルの下面と係合可能な平坦な支持面を形成し、天板の使用時、前記支持面を前記アングルの下面に係合可能にしたから、天板の安定した使用状態を得られる効果がある。
請求項１０の発明は、支持面に調節ネジをねじ込み可能なネジ孔を開口したから、カムブロックの使用に伴う経年的な劣化により、アングルの下面と支持面との隙間が拡大して天板の安定した使用状態が低下した際、前記支持面に調節ネジをねじ込んで頭部をアングルの下面に係合し、前記隙間を解消して天板の安定した使用状態を回復させることができる。
【００２０】
請求項１１の発明は、回動軸のカムブロックと対向位置に支持ブロックを固定したから、回動軸の周囲にカムブロックと支持ブロックをコンパクトに配置し、固定することができる。
請求項１２の発明は、支持ブロックの一側に前記回動軸の外周面に係合可能な係合面を形成したから、回動軸に支持ブロックを密接かつ強固に固定することができる。
請求項１３の発明は、支持ブロックの係合面を凹状曲面に形成したから、該凹状曲面を回動軸に広域に係合させて、安定かつ強固に固定ことができる。
請求項１４の発明は、回動軸の前記開口部と対向位置に開口部を形成し、該開口部に挿入可能な角軸を支持ブロックの一側に突設し、該角軸の端部を支軸の側部周面の凹孔に対向配置したから、カムブロックの角軸と対向位置に支持ブロックの角軸を配置し、それらの同軸配置と容易かつ合理的な固定を実現することができる。
【００２１】
請求項１５の発明は、角軸にボルトを挿入可能な通孔を形成するとともに、前記カムブロックの角軸にネジ孔を形成し、前記ボルトを通孔を介して前記ネジ孔にねじ込み、支軸および回動軸の両側にカムブロックと支持ブロックを固定したから、これらを合理的かつ容易に固定することができる。
請求項１６の発明は、支持ブロックの下部に基台を形成するとともに、支持ブロックの直上のアングルの下面にストッパを固定し、該ストッパに前記基台の側部を係合可能に配置し、天板の折り畳み時、前記ストッパを前記基台に係合可能にしたから、天板の折り畳み時における逆転を防止し、安全かつ安定した天板の折り畳み状態を得られる効果がある
【００２２】
請求項１７の発明は、脚継手の一側に、脚支柱の周面に接合可能な接合面を形成したから、脚継手を脚支柱の周面に密着して取付けられ、その取付け強度と外観を向上することができる。
請求項１８の発明は、支軸と脚継手を一体成形したから、これらを合理的かつ容易に製作し組み立ての手間を節減することができる。
請求項１９の発明は、脚継手の接合面側に複数の係合ピンを突設するとともに、脚継手の内側周面に複数のボルト挿通孔を開口し、該ボルト挿通孔の奥部に段付き孔を形成し、該段付き孔を介し脚支柱のネジ孔にボルトをねじ込み可能にしたから、脚継手と脚支柱の取付けに煩雑な溶接作業を廃して容易に行えるとともに、係合ピンとボルトの取付け位置を加減することで、左右の脚支柱の取付け位置を調整することができる。
【００２３】
請求項２０の発明は、脚継手を、脚支柱の外側または内側に取付け可能にしたから、脚継手を脚支柱の外側に取付ける場合は、その取付け作業を容易に行なえ、脚継手を脚支柱の内側に取付ける場合は、それらの取付け作業を簡便に行なえるとともに、脚継手の占有スペースを解消して簡潔かつコンパクトに構成することができる。
請求項２１の発明は、脚支柱の下方に配置する前後脚の上端部を一軸に集結し、該軸部を脚支柱の下端部に装着したから、前後脚と脚支柱の連結を簡潔かつコンパクトに行なうことができる。
【図面の簡単な説明】
【００２４】
【図１】本発明の実施形態における天板の使用状態を示す斜視図である。
【図２】図１の正面図である。
【図３】図１の右側面図である。
【図４】図３を前方より見た斜視図である。
【図５】図３のＡ−Ａ線に沿う拡大断面図である。
【００２５】
【図６】本発明の要部を分解して示す斜視図である。
【図７】図６の要部を分解し拡大して示す斜視図である。
【図８】図７のＢ−Ｂ線に沿う断面図である。
【図９】本発明に適用したカムブロックの一例を示す斜視図である。
【図１０】図９の正面図である。
【００２６】
【図１１】図１０の平面図である。
【図１２】図１０の右側面である。
【図１３】図１１のＣ−Ｃ線に沿う断面図である。
【図１４】図１０の左側面図である。
【図１５】図１４のＤ−Ｄ線に沿う断面図である。
【００２７】
【図１６】本発明に適用した脚継手の一例を示す斜視図である。
【図１７】図１６を右側方から見た脚継手の斜視図である。
【図１８】図１７の正面図である。
【図１９】図１７の右側面図である。
【図２０】図１９のＥ−Ｅ線に沿う断面図である。
【００２８】
【図２１】図１９のＦ−Ｆ線に沿う断面図である。
【図２２】本発明の実施形態の使用状態を示す正面図で、片側半部を図示している。
【図２３】図２２のＧ−Ｇ線に沿う断面図である。
【図２４】図２２のＨ−Ｈ線に沿う断面図である。
【００２９】
【図２５】本発明の実施形態における天板の折り畳み状態を示す正面図である。
【図２６】図２５の右側面図である。
【図２７】図２６のＩ−Ｉ線に沿う断面図である。
【図２８】図２２のＪ−Ｊ線に沿う断面図である。
【図２９】本発明の他の実施形態の要部を示す斜視図で、脚継手を脚支柱の内側に収容して取付けている。
【発明を実施するための形態】
【００３０】
以下、本発明を図示の実施形態について説明すると、図１乃至図２８において１は、天板２を折畳み可能な折畳みテーブルで、天板２の長さ方向の両側の下面に逆Ｕ字形断面の一対のアングル３が取付けられ、その両側に緩やかな山形形状の側面板３ａが配置され、その開口側の下端縁に湾曲板状のカバー４が装着されて開口部が閉塞されている。
【００３１】
前記アングル３，３の側面板３ａの対向位置に大径の通孔５，５が形成され、該通孔５，５に回動軸である鋼管製のセンター軸６が回動可能に挿入されている。前記センター軸６の両端部は天板２の長さ方向に沿って配置され、その両端部に脚継手７と一体に成形した支軸８が挿入されている。
【００３２】
この場合、実施形態ではセンター軸６と支軸８の断面形状を円形に形成しているが、矩形や多角形に形成することも可能であり、これに応じて後述するカムブロックと支持ブロックの係合面を、凹状曲面から凹状多角面に形成して対応する。
前記脚継手７はアルミダイカストによって略肉厚の板状に成形され、その外側の端部は平坦な接合面９に形成され、該接合面９を脚支柱１０の内側面に接合して固定している。
【００３３】
前記接合面９は周囲を外側リブ１１で区画し、その内側に複数の筒状リブ１２を配置して補強し、その上下位置に係合ピン１３，１４を突設していて、該係合ピン１３，１４を脚支柱１０の内側面のピン孔（図示略）に係合可能にしている。
図中、１５は天板２の下面中央に設けたセンター軸ホルダ、１６は脚支柱１０の下端部から斜め後方に配置した後部脚、１７は脚支柱１０の下端部から内側に屈折後、脚支柱１０と同方向の斜め下向きに配置した前部脚で、これらの脚１６，１７の下端にキャスター１８，１９を取付け、床面２０上を走行可能にしている。
【００３４】
前記アングル３，３内のセンター軸６の対向周面に、矩形の開口部２１，２２が形成され、また開口部２２の内側に配置した支軸８の対応位置に、角錐台形状の角孔２３が形成され、該開口部２２と角孔２３にカムブロック２４の角軸２５が緊密に挿入されている。
前記角孔２３の外側の支軸８に凹孔４５が形成され、該凹孔４５の平坦面にネジ孔８ａが形成され、後述のボルトをねじ込み可能にしている。
【００３５】
一方、前記開口部２１に支持ブロック２６の角軸２７が挿入され、該角軸２５が角軸２７と同軸上に配置され、これらに支持ブロック２６の外側からボルト２８をねじ込んで、センター軸６の両側にカムブロック２４と支持ブロック２６とを固定している。
【００３６】
前記カムブロック２４はアルミダイカストによって縦長肉厚の板状に成形され、その内側の下半部に、センター軸６の外周面と係合可能な係合面である半円弧状の凹状曲面２９が形成され、該凹状曲面２９の内側に前記角軸２５が突設されている。
前記角軸２５は前記角孔２３に係合可能な四角錐台形状に形成され、その角周面は先細のテーパ面に形成され、その内部にボルト２８をねじ込み可能なネジ孔３０が形成されている。
【００３７】
前記カムブロック２４の片側側面に略屋根形の突状カム３１が突設され、該突状カム３１の下部に逆Ｖ字形状の第１カム溝３２が形成され、前記突状カム３１の上部に緩やかなＶ字形状の第２カム溝３３が形成されている。
前記第１カム溝３２は、天板２の水平状態での使用時、ロックカム３４の先端の山形部３５と係合可能に位置して、天板２の水平状態を形成かつ保持可能にしている。
【００３８】
一方、天板２を斜状に転回する折畳み時は、ロックカム３４が突状カム３１の外側を旋回して、山形部３５に隣接する幅広な平坦の先端部３６が第２カム溝３３と係合可能に位置し、天板２の斜状の折畳み状態を形成可能にしている。
【００３９】
前記カムブロック２４の上部に幅広な支持面３７が形成され、その中央に凹部３８が形成され、該凹部３８に通孔３９とネジ孔４０が同軸に形成されていて、該通孔３９とネジ孔４０に調節ネジ４１がねじ込まれ、その頭部４２を凹部３８に収容可能にしている。
前記支持面３７は天板２の水平状態の使用時は、アングル３の下面に係合可能に配置され、前記ロックカム３４の山形部３５と第１カム溝３２との係合時は、天板２の回動を阻止可能にしている。
【００４０】
そして、折り畳みテーブルの経年的な使用によって、支持面３７とアングル３の下面との間に隙間が形成され、それらの密着性が低下した場合、天板２を取り外して凹部３８から通孔３９とネジ孔４０に調節ネジ４２をねじ込み、その頭部４２をアングル３の下面に係合可能に調節して、天板２の使用時における安定性を回復可能にしている。
【００４１】
前記支持ブロック２６は、アルミダイカストによって略逆Ｔ字形断面の板体に成形され、その中央に半円弧状の支持壁４３が立設され、該支持壁４３の内側に係合面である半円弧状の凹状曲面４４が形成され、該凹状曲面４４をセンター軸６の外周面に係合可能に配置している。
【００４２】
前記支持壁４３の外周の中間位置に凹孔４５が形成され、該凹孔４５に座金４６が収容され、また扁平な角軸２７の端面に通孔４７が形成され、該角軸２７の端面を支軸８の凹孔４５に対向配置している。
そして、前記凹孔４５からボルト２８を通孔４７に挿入し、これを凹孔４５のネジ孔８ａと角軸２５のネジ孔３０にねじ込んで、センター軸６を介し支持ブロック２６をカムブロック２４に固定している。
【００４３】
前記支持ブロック２６の下端部に矩形の基台４８が設けられ、該基台４８の外側周面に斜状のテーパ面４８ａが形成され、該テーパ面４８ａを天板２の折り畳み時にストッパ４９に係合可能に配置している。
前記ストッパ４９は合成樹脂によって箱形に成形され、これを支持ブロック２６の直上のアングル３の下面にビス止めし、天板２の折り畳み時にストッパ４９の下面を前記テーパ面４８ａに係合可能に配置している。
【００４４】
したがって、天板２の折畳み時にロックカム３４が突状カム３１の外側を旋回し、その先端部３６が第２カム溝３３と係合して、天板２の折り畳み状態を形成するとともに、ストッパ４９が前記テーパ面４８ａに係合して天板２の回動を阻止し、天板２の安定した折り畳み状態を維持可能にしている。
【００４５】
前記ロックカム３４は肉厚の鋼板によって略小判形状に形成され、その先端に山形形状の前記山形部３５と、該山形部３５に隣接する幅広な先端部３６が形成され、それらの近接位置にＶ字形状の頸部５０が形成されている。
前記ロックカム３４は、略縦長矩形断面のカム軸５１の両端部に固定され、そのカム軸５１の周面に捩りバネ５２が捲回され、該バネ５２の両端部がアングル３の下面とロックカム３４の周面に掛け止められている。
【００４６】
そして、前記捩りバネ５２の弾性を介して、ロックカム３４をカム軸５１を中心に突状カム３１方向へ回動可能に付勢し、天板２の使用時は山形部３５を第１カム溝３２に係合可能に位置付け、天板２の折り畳み時は係合部３６を第２カム溝３３に係合可能に位置付けている。
図中、５３は左右のアングル３，３間に掛け渡した軸パイプで、内部にカム軸５１が収容され、該カム軸５１の両端部に操作レバー５４の基端部が固定されている。５５は突状カム３１外側面に形成した異形の肉盗み、５６はカムブロック２４の内部に設けた異形の肉盗みで、何れも成形素材の低減と軽量化を図っている。
【００４７】
図中、５７は脚支柱１０を構成する合成樹脂製の結合部材で、結合枠５８を介して脚支柱１０に一体に組み込まれ、５９は支軸８の外周面に軸方向に形成した凹溝、６０は脚支柱１０の上端部に装着した略蒲鉾形状の支柱キャップで、脚継手７の上端部の形状と同形に形成されて、前記脚支柱１０の上端部側面に装着され、当該部の外観の向上を図っている。
【００４８】
この他、６１，６２は脚継手７の内側面の上下位置に形成したボルト挿通孔で、奥部に接合面９側に開口する段付き孔６３，６４が形成され、外側からボルト（図示略）をボルト挿通孔６１，６２に挿入し、その螺軸を段付き孔６３，６４を介して、脚支柱１０側のネジ孔（図示略）にねじ込み可能にしている。
図中、６５は支軸８の基部周面に形成した肉盗み、６６は支軸８の端部に形成した肉盗みを兼ねる凹状壁で、当該部の強度を強化している。
【００４９】
このように構成した折畳みテーブルは、左右一対のアングル３と、センター軸６と、脚継手７と支軸８、左右一対の脚支柱１０、カムブロック２４と支持ブロック２６、ロックカム３４、等の主要な構成部材を備え、これらの製作を要する。
このうち、アングル３は鋼板をプレス成形し、カバー４は合成樹脂で樹脂成形し、アングル３の側面板３ａ,３ａの中央に大径の通孔５を形成する。
前記センター軸６は所定径の鋼管を所定長さに切断し、その端部の対向周面に矩形の開口部２１，２２を形成する。
【００５０】
前記脚継手７と支軸８をアルミダイカストによって一体成形し、脚継手７を縦長の肉厚の板状に形成し、その周囲をリブ１１で区画し、内部を複数の筒状リブ１２で補強し、その内側面を平坦な接合面９に形成し、該接合面９の上下位置に係合ピン１３，１４を突設する。
前記支軸８をセンター軸６に挿入可能な円筒状に形成し、その中間部に四角錐台形状の有底の角孔２３を形成し、その外側に凹孔４５を形成し、該凹孔４５の平坦な底部にネジ孔８ａを形成する。
このように脚継手７と支軸８を一体成形しているから、これらを別々に製作し接続金具を介して、または溶接して連結する作業を回避し、容易かつ速やかに組み立てられる。
【００５１】
前記脚支柱１０は、例えばアルミニウムまたは鋼管製の角菅材を所定長さに裁断し、その脚継手７に接合する内側面の上下位置、すなわち段付き孔６３，６４の開口位置にネジ孔を形成する。
前記カムブロック２４と支持ブロック２６をそれぞれアルミダイカスト成形し、このうちカムブロック２４は縦長肉厚の板状に成形し、その内側の下半部に、センター軸６の外周面と係合可能な半円弧状の凹状曲面２９を形成し、該凹状曲面２９の内側に角軸２５を突設成形する。
【００５２】
前記角軸２５を前記角孔２３に係合可能な四角錐台形状に成形し、その角周面を先細のテーパ面状に形成し、内部にボルト２８をねじ込み可能なネジ孔３０を形成する。
前記カムブロック２４の片側側面に略屋根形の突状カム３１を突設し、該突状カム３１の下部に逆Ｖ字形状の第１カム溝３２を形成し、前記突状カム３１の上部に緩やかなＶ字形状の第２カム溝３３を形成する。
【００５３】
前記カムブロック２４の上部に幅広な支持面３７を形成し、その中央に凹部３８を形成し、該凹部３８に通孔３９とネジ孔４０を同軸に形成し、該通孔３９とネジ孔４０に調節ネジ４１をねじ込み可能にし、その頭部４２を凹部３８に収容可能にする。
【００５４】
前記支持ブロック２６を、アルミダイカストによって略逆Ｔ字形断面の板体に成形し、その中央に半円弧状の支持壁４３を立設し、該支持壁４３の内側に半円弧状の凹状曲面４４を形成し、該凹状曲面４４をセンター軸６の外周面に係合可能に形成する。
【００５５】
前記支持壁４３の外周の中間位置に凹孔４５を形成し、該凹孔４５に座金４６を収容可能にし、また扁平な角軸２７の端面に通孔４７を形成し、該角軸２７の端面を支軸８の凹孔８ｂに対向配置し、該凹孔４５側からボルト２８を通孔４７に挿入し、これを凹孔４５のネジ孔８ａと角軸２５のネジ孔３０にねじ込み、支持ブロック２６をセンター軸６を介しカムブロック２４に固定可能にする。
【００５６】
前記支持ブロック２６の下端部に矩形の基台４８を設け、該基台４８の外側周面に斜状のテーパ面４８ａを形成し、該テーパ面４８ａを天板２の折り畳み時にストッパ４９に係合可能にする。
前記ストッパ４９を合成樹脂によって箱形に成形し、これを支持ブロック２６の直上のアングル３の下面にビス止めし、天板２の折り畳み時にストッパ４９の下面を前記テーパ面４８ａに係合可能に配置する。
【００５７】
前記ロックカム３４を肉厚の鋼板によって略小判形状に形成し、その先端に山形形状の山形部３５と、該山形部３５に隣接する幅広な係合部３６を形成し、それらの近接位置にＶ字形状の頸部５０を形成する。
前記ロックカム３４を略縦長矩形断面のカム軸５１の両端部に固定し、カム軸５１の周面に捩りバネ５２を捲回し、該バネ５２の両端部をアングル３の下面とロックカム３４の周面に掛け止める。
【００５８】
こうして製作した構成部材を用いて折畳みテーブルを組み立てる場合は、一対のアングル３，３と、センター軸６と、脚継手７および一体の支軸８と、カムブロック２４と支持ブロック２６を用意する。
そして、先ずアングル３の側面板３ａ，３ａの通孔５，５にセンター軸６の両端部を挿入し、そのセンター軸６の両端部に脚継手７と一体の支軸８を挿入し、その角孔２３の位置を開口部２２の位置に合わせる。
【００５９】
次に、開口部２１，２２の外側にカムブロック２４と支持ブロック２６を配置し、カムブロック２４の凹状曲面２９をセンター軸６の外周面に係合し、角軸２５を開口部２２に挿入して、支軸８を角孔２３に挿入する。
【００６０】
その際、角軸２５の角錐面はテーパ状に形成され、角孔２３の内周面も同様なテーパ状に形成されているから、角軸２５が角孔２３に緊密に係合し、かつその楔効果によって強固に係合する。
一方、支軸８の先端部は凹状壁６６で閉塞されているから、先端部が開口されている場合に比べ機械的強度が強化され、前述の角孔２３に対する角軸２５の挿入ないし圧入時の応力に十分堪えられる。
【００６１】
この場合、実施形態ではカムブロック２４の凹部３８に調節ネジ４１を当初から取付けず、経年的な使用によってアングル３の下面と支持面３７との隙間が大きくなり、密着性が低下した場合に、調節ネジ４１を取付けている。このようにすることで、組み立て当初の手間を軽減し得る。
【００６２】
一方、センター軸６の反対側から、支持ブロック２６の凹状曲面４４をセンター軸６の外周面に係合し、その扁平な角軸２７を開口部２１に挿入し、その軸端部を支軸８の凹孔８ｂの平坦面に対向配置する。
この状況の下で凹孔４５に座金４６を収容し、外側からボルト２８を通孔４７に挿入し、その螺軸をネジ孔８ａに挿入し、更に角軸２５のネジ孔３０にねじ込んで緊締し、カムブロック２４と支持ブロック２６をセンター軸６の両側に固定する。
【００６３】
この場合、支持ブロック２６の凹状曲面４４をセンター軸６の外周面に係合し、また支持ブロック２６の凹状曲面４４をセンター軸６の外周面に広域に係合しているから、それらが安定かつ正確にセンター軸６の外周面に密着する。
【００６４】
この後、アングル３，３間に軸パイプ５３を掛け渡し、その内部に収容したカム軸５１の両端部にロックカム３４を取付け、かつロックカム３４とカム軸５１に捩りバネ５２の両端を掛け止める。
そして、ロックカム３４をカムブロック２４の側面の突状カム３１に係合可能に配置し、カム軸５１の外端部に操作レバー５４の基部を取付け、カム軸５１と操作レバー５４を同方向に回動可能に付勢する。
また、支持ブロック２６の直上でアングル３の下面にストッパ４９を取付け、該ストッパ４９の下面を、支持ブロック２６の基台４８の片側のテーパ面４８ａに係合可能に配置する。
【００６５】
この後、アングル３の側面板３ａ，３ａの下端縁にカバー４を掛け止めて、下部の開口部を閉塞し、また脚継手７の外側の接合面９を脚支柱１０の内側面に向き合わせ、その係合ピン１３，１４を脚支柱１０の内側面のピン孔（図示略）に係合して位置決めする。
そして、脚継手７の内側からボルト（図示略）をボルト挿通孔６１，６２に挿し込み、その螺軸を、段付き孔６３，６４を介して脚支柱１０の内側面のネジ孔（図示略）にねじ込んで、脚継手７を脚支柱１０の内側面に密着して固定する。
【００６６】
このように脚継手７と脚支柱１０の取付けは、係合ピン１３，１４の係合とボルトのねじ込みによって簡便に行なえるから、これらを溶接する場合に比べて手間が軽減され、組み立て作業を容易かつ速やかに行なえる。
その際、係合ピン１３，１４の係合位置やボルトのねじ込み位置を加減することによって、左右の脚支柱１０の取付け高さを調整することが可能になる。
【００６７】
この後、アングル３を天板２の両端部の下面にビス止めし、脚支柱１０の下端部に後部脚１６と前部脚１７の上端部を取付け、その下端部にキャスター１７，１８を取付ければ、一連の組立が完了する。
その際、後部脚１６と前部脚１７の上端部を集約して構成し、その単一の上端部を脚支柱１０の下端部に連結しているから、部品点数が低減し容易かつ速やかに組立てられる。
したがって、前後一対の脚部の上端部を近接して配置し、これらを接続金具を介在し、または溶接して一体に連結する作業を回避して、容易かつ速やかに組み立てられる。
【００６８】
こうして組み立てた折畳みテーブルは図１乃至図４のようで、天板２の使用時は図２３および図２４のように、ロックカム３４の山形部３５がカムブロック２４の第２カム溝３２に係合して天板２の水平姿勢を形成し、また上部の支持面３７がアングル３内の下面に係合して天板２の逆転を阻止し、天板２の安定した水平姿勢を保持する。
したがって、この後、天板２の安定した水平姿勢による使用状態を得られる。
【００６９】
このような天板２の使用状況から操作レバー５４を保持し、その先端部を上向きに回動する。
このようにすると、ロックカム３４が捩りバネ５２の弾性に抗して、カム軸５１を中心に図２３上反時計方向へ回動し、その山形部３５が第１カム溝３２の係合位置から後退して掛け外れる。
【００７０】
そこで、前記操作レバー５４の回動状態を保持しながら、例えば天板２の後端部を保持して支軸８を中心に押し上げ、天板２を図２３および図２４上反時計方向へ略８０°回動したところで、操作レバー５４を手放す。
このようにすると、ロックカム３４がカムブロック２４の突状カム３１の外側を旋回し、その係合部３６が第２カム溝３３に係合して、天板２の折畳み状態を形成する。
【００７１】
その際、アングル３の内面に固定したストッパ４９が天板２の折畳み変位に同動し、その下面が支持ブロック２６の基台４８のテーパ面４８ａに係合する。
このため、天板２の折畳み方向の回動が阻止され、前述した係合部３６と第２カム溝３３との係合と相俟って、天板２の安定した折畳み状態を保持する。この状況は図２５乃至図２８のようである。
したがって、この後、天板２の安定した折畳み状態を保持して、床面２０上を適宜位置へ移動し得る。
【００７２】
図２９は本発明の他の実施形態を示し、前述の実施形態と同一の構成部分には同一の
符号を付している。
この実施形態は、脚継手７を脚支柱１０の外側に取付ける代わりに、脚継手７を脚支柱１０内に収容可能な四角柱状に成形し、複雑な側面形状と係合ピン１３，１４を無くし、構成を簡潔にするとともに、脚継手７を脚支柱１０内に挿入して、脚支柱１０の外側からビス止めし、脚継手７の成形の容易化と脚支柱１０に対する組み付けの合理化を図るようにしている。
【産業上の利用可能性】
【００７３】
このように本発明の折畳みテーブルは、構成を簡潔にし、外観の向上と使用上の安全性を向上するとともに、煩雑な溶接を廃して容易かつ合理的に製作できるとともに、天板とアングルを回動可能に支持する回動軸に、カムブロックと支持ブロックを容易かつ強固に固定し、天板の折り畳み動作を安定かつ確実に行なえるようにしたものである。
【符号の説明】
【００７４】
２                天板
３                アングル
６                回動軸（センター軸）
７                脚継手
８                支軸
９                接合面
１０              脚支柱
【００７５】
１３，１４        係合ピン
１６              後部脚
１７              前部脚
２１，２２        開口部
２３              角孔
２４              カムブロック
２５，２７        角軸
２６              支持ブロック
【００７６】
２８              ボルト
２９              係合面（凹状曲面）
３０              ネジ孔
３２              第１カム溝
３３              第２カム溝
３４              ロックカム
３７              支持面
【００７７】
４０              ネジ孔
４１              調節ネジ
４４              係合面（凹状曲面）
４７              通孔
４８              基台
４９              ストッパ
６１，６２        ボルト挿通孔
６３，６４        段付き孔
【図１】
2020174823.tif 000003
【図２】
2020174823.tif 000004
【図３】
2020174823.tif 000005
【図４】
2020174823.tif 000006
【図５】
2020174823.tif 000007
【図６】
2020174823.tif 000008
【図７】
2020174823.tif 000009
【図８】
2020174823.tif 000010
【図９】
2020174823.tif 000011
【図１０】
2020174823.tif 000012
【図１１】
2020174823.tif 000013
【図１２】
2020174823.tif 000014
【図１３】
2020174823.tif 000015
【図１４】
2020174823.tif 000016
【図１５】
2020174823.tif 000017
【図１６】
2020174823.tif 000018
【図１７】
2020174823.tif 000019
【図１８】
2020174823.tif 000020
【図１９】
2020174823.tif 000021
【図２０】
2020174823.tif 000022
【図２１】
2020174823.tif 000023
【図２２】
2020174823.tif 000024
【図２３】
2020174823.tif 000025
【図２４】
2020174823.tif 000026
【図２５】
2020174823.tif 000027
【図２６】
2020174823.tif 000028
【図２７】
2020174823.tif 000029
【図２８】
2020174823.tif 000030
【図２９】
2020174823.tif 000031